(57)【要約】  本発明は、共通のミッドプレーンに並びに１つもしくはそれ以上の電源及び１つもしくはそれ以上のコンピューターネットワークで作動する複合シンクライアントをシミュレートするための１つもしくはそれ以上の管理モジュールに、取り外し可能に連結可能な複合シンクライアントブレードを含むモジュラーシャシが設けられる。本発明は、大きなコンピュータインフラストラクチャをシミュレートするために容易に接続され及び管理される、多くのシンクライアント装置及びあるいは多くのシミュレートされたユーザを具備する、大型コンピューター研究所環境を構築するのを可能にする。さらに、複雑なサーバを用いたコンピューティング環境において、正常及び異常な操作シナリオの試験及びシミュレーションを含む機能の結合を成し遂げる方法がこの特許に示される。
2008533583.tif 000002
【特許請求の範囲】
【請求項１】
モジュラーシンクライアントブレードシステムであって、
コネクタ、共通の電源バス及び管理バスを具備する少なくとも１つのバックプレーンと、
前記コネクタと互換性をもつ嵌合コネクタを介して前記少なくとも１つのバックプレーンに取り外し可能に連結可能な複数のシンクライアントブレードモジュールと、
各前記コネクタが前記複合ベイのうちの１つに位置し、前記複数のシンクライアントブレードモジュールを受け入れることが可能な複合ベイを具備するモジュラーシャシと、
ネットワークスイッチを介してネットワークに各前記複数のシンクライアントブレードモジュールを接続するために適した少なくとも１つのネットワークインターフェイスとを含むモジュラーシンクライアントブレードシステム。
【請求項２】
選択可能な１つの前記複数のシンクライアントブレードモジュールへのユーザキーボード、マウス及びディスプレイを接続することが可能なＫＶＭモジュールをさらに含む、請求項１に記載のシステム。
【請求項３】
前記ＫＶＭモジュールは、１つ以上の前記シャシの中央管理を可能にするために、複数の実質上同様のシステムに連鎖するのに適した、請求項２に記載のシステム。
【請求項４】
前記ＫＶＭモジュールは、特定のＫＶＭアクションの引き金となるために、プリプログラムしたユーザのキーボード入力を認識するのに適した、請求項２に記載のシステム。
【請求項５】
前記ＫＶＭモジュールは、複合の前記複数のシンクライアントブレードモジュールからの複合ビデオ画像と単一の表示された画像を組み合せるのに適した、請求項２に記載のシステム。
【請求項６】
前記ＫＶＭモジュールは、ビデオを配信するため及びウェブブラウザを介してキーボード及びマウスのコマンドを受信するために、ウェブサーバを使用するリモートもしくはローカルのサイトに接続するのに適した、請求項２に記載のシステム。
【請求項７】
前記ＫＶＭモジュールは、可視のビデオディスプレイに英数字データ及びシステムの状態をオーバーレイすることが可能である、請求項２に記載のシステム。
【請求項８】
前記複数のシンクライアントブレードモジュールに電力を提供するために、前記シャシに取り外し可能に連結可能な少なくとも１つの電源モジュールをさらに含む、請求項１に記載のシステム。
【請求項９】
各前記複数のシンクライアントブレードモジュールを中央で監視し、構成し及び制御するために、管理モジュールをさらに含む、請求項１に記載のシステム。
【請求項１０】
少なくとも１つの前記複数のシンクライアントブレードモジュールは、ＲＩＳＣアーキテクチャで作られた、請求項１に記載のシステム。
【請求項１１】
前記ネットワークスイッチは、柔軟なネットワーク構成及びシステム中の各前記複数のシンクライアントブレードモジュールへの接続を可能にするために管理できる、請求項１に記載のシステム。
【請求項１２】
前記ネットワークスイッチは、異なるネットワーク実装及びシミュレーションを可能にするバンド幅及びパケットフロー特性を制限するのに適した、請求項１に記載のシステム。
【請求項１３】
１つもしくはそれ以上の前記複数のシンクライアントブレードモジュールは、特定もしくは典型的なユーザの負担をシミュレートするローカルのソフトウェアを実行している、請求項１に記載のシステム。
【請求項１４】
システムを冷却するために前記シャシに連結された冷却ファンモジュールをさらに含む、請求項１に記載のシステム。
【請求項１５】
前記複数のシンクライアントブレードモジュールの各１つにインストールされた不揮発性メモリ装置、並びに明確にそのモジュールの型モデル及び独特の特徴を識別するバスを介して管理モジュールにアクセス可能にすることをさらに含む、請求項１に記載のシステム。
【請求項１６】
複数の挿入可能なシンクライアントブレードモジュールを受け入れるために構成されたシンクライアントブレードシャシであって、
挿入可能なシンクライアントブレードモジュールを受け入れることが可能な複合ベイを具備するモジュラーシャシと、
各々の前記複合ベイ、共通の電力バス、及び前記複合ベイを相互連結する管理バスのためのコネクタを具備する少なくとも１つのバックプレーンと、
選択可能な１つのシンクライアントブレードモジュールに、ユーザキーボード、マウス及びディスプレイを接続するのに適したＫＶＭモジュールと、
電力を前記挿入可能なシンクライアントブレードモジュールに設けるのに適した、少なくとも１つの電源モジュールとを含むシンクライアントブレードシャシ。
【請求項１７】
バックプレーンコネクタからの電力を受け取り及びバックプレーンコネクタを介して情報を交換するためのインターフェースを確立するために、バックプレーンコネクタに取り外し可能に接続するのに適した、挿入可能なシンクライアントブレードモジュール装置であって、
バックプレーンコネクタに接続するのに適した組合せコネクタと、
前記組合せコネクタに、ＬＡＮコネクターに及びＬＡＮ制御装置に接続されたＬＡＮトランシーバと、
情報を処理するプロセッサと、
前記プロセッサによって用いられる情報及びプログラム指示を保管するための揮発性メモリと、
前記プロセッサによって用いられるプログラム指示を保管するための不揮発性のメモリと、
前記ＬＡＮコントローラ、前記不揮発性メモリ、前記揮発性メモリ及び前記プロセッサを接続するのに適したバスを含む挿入可能なシンクライアントブレードモジュール装置。
【請求項１８】
装置は、装置の特徴を示す少なくとも１つの指示器をさらに含む、請求項１７に記載の装置。
【請求項１９】
バックプレーンコネクタからの電力を受け取り及びバックプレーンコネクタを介して情報を交換するためのインターフェースを確立するために、バックプレーンコネクタに解放可能に接続するのに適した、挿入可能な管理モジュールであって、
バックプレーンコネクタとのインターフェースを確立するために適した嵌合コネクタと、
前記嵌合コネクタに及びＬＡＮコントローラに接続されたＬＡＮトランシーバーと、
情報を処理するのに適したプロセッサと、
前記プロセッサによって用いられる情報及びプログラム指示を保管するための揮発性メモリと、
前記プロセッサによって用いられるプログラム指示を記憶するための不揮発性メモリと、
ユーザ入出力装置を備える交換情報に適したＩ／Ｏコントローラと、
ビデオ信号を生成するのに適したビデオコントローラと、
前記Ｉ／Ｏコントローラ、前記ビデオコントローラ、前記ＬＡＮコントローラ、前記不揮発性メモリ、前記揮発性メモリ及び前記プロセッサを接続するバスを含む挿入可能な管理モジュール。
【請求項２０】
大規模な、中央で管理可能な複合シンクライアントシステムを構築する方法であって、
各シャシは、複数の挿入可能なシンクライアントブレードモジュールの少なくとも１つを受け入れるのに適した複数のモジュラーシャシを設けるステップであって、前記モジュラーシャシは、
ｉ．前記複数の挿入可能なシンクライアントブレードモジュールの少なくとも１つを受け入れるのに適した複合ベイと、
ｉｉ．各前記複合ベイ、共通の電力バス、及び前記複合ベイを相互接続する管理バスのためのコネクタを具備する少なくとも１つのバックプレーンと、
ｉｉｉ．選択可能な１つの前記挿入可能なシンクライアントブレードモジュールにユーザキーボード、マウス及びディスプレイを接続するのに適したＫＶＭモジュールとを含み、
前記複数のモジュールシャシの少なくとも２つを前記ＫＶＭモジュールのチェイニングをするステップを含む方法。
【請求項２１】
複合シンクライアントシステムをシミュレートする方法であって、
各モジュラーシャシは、複数の挿入可能なシンクライアントブレードを受け入れるのに適合させ、複数のモジュラーシャシを設けるステップと、
各前記複数のモジュールシャシに前記複数の挿入可能なシンクライアントブレード及び単一の管理モジュールを挿入するステップと、
ネットワークスイッチに各前記複数のシンクライアントブレードを接続するステップと、
サーバに前記ネットワークスイッチを接続するステップを含む方法。
【請求項２２】
複数のシンクライアントブレードモジュールを受け入れるのに適した複合ベイを具備するモジュラーシャシであって、モジュラーシャシは、  
コネクタ、共通の電力バス及び管理バスを具備する少なくとも１つのバックプレーンと、
選択可能な１つの複数のシンクライアントブレードモジュールにユーザキーボード、マウス及びディスプレイを接続するのに適したＫＶＭモジュールを含むモジュラーシャシ。
【請求項２３】
前記ＫＶＭモジュールは、１つ以上のモジュラーシャシの中央管理を可能にする、複数の実質上同様のシステムに連鎖するのに適した、請求項２２に記載のモジュラーシャシ。
【請求項２４】
前記ＫＶＭモジュールは、特定のＫＶＭアクションの引き金となるプリプログラムされたユーザのキーボード入力を認識するのに適した、請求項２２に記載のモジュラーシャシ。
【請求項２５】
前記ＫＶＭモジュールは、複合のシンクライアントブレードモジュールからの複合ビデオ画像と単一の表示された画像を組み合せるのに適した、請求項２２に記載のモジュラーシャシ。
【請求項２６】
前記ＫＶＭモジュールは、ビデオを配信するため及びウェブブラウザを介してキーボード及びマウスのコマンドを受信するために、ウェブサーバを使用するリモートもしくはローカルのサイトに接続するのに適した、請求項２２に記載のモジュラーシャシ。
【請求項２７】
複数のシンクライアントブレードモジュールに電力を提供するために、モジュラーシャシに取り外し可能に連結可能な少なくとも１つの電源モジュールをさらに含む、請求項２２に記載のモジュラーシャシ。
【請求項２８】
各複数のシンクライアントブレードモジュールを中央で監視し、構成し、及び制御するために、管理モジュールを受け入れるのに適したモジュラーシャシを含む、請求項２２に記載のモジュラーシャシ。
【発明の詳細な説明】
【技術分野】
【０００１】
本発明は、複合シンクライアントモジュラーシステム一般に関してであり、特に、しかし排他的では無いが、複雑なサーバを用いたコンピューティング環境の機能及び負荷の試験を可能にする、シンクライアントブレードシステム及びアーキテクチャに関する。
【背景技術】
【０００２】
パーソナルコンピューティングの最初の年に、各パーソナルコンピュータ（ＰＣ）ワークステーションは、スタンドアロンシステムとして操作され、それ故に、多くのＰＣを配備した試験は、機能性、安定性及び信頼性に関して単一のＰＣをテストすることに典型的に制限された。機構のコンピュータシステムがネットワークにつながれ及び集中化されたサーバに極度に依存するようになるにつれて、ＰＣは、それらの通常操作のためのネットワーク及びサーバのリソースに依存するようになる。大きな機構の典型的なコンピュータ装置は、さらに一層複雑になり、並びにそれ故に、予測すること、シミュレートすること及びテストすることがさらに一層困難になった。
【０００３】
今日、大きな機構は、データの請求もしくはリソースのコンピューティング及びコミュニケーションネットワークをロードする複合ワークステーションの複雑な相互作用を含み、各々のＰＣワークステーションのみならず全体のシステムを設計すること、分析すること及び維持することという難問に直面する。特にこれは、任意のセグメントにおける故障又は過負荷が破滅的なシステム故障へと悪化しないことを保証するために重大になる。
【０００４】
今まで、大きな機構中の一般的慣習は、現実の構成要素（ＰＣのサーバなど）から機構のコンピュータシステムの小規模モデルを構築し、通常実行されるタスクを行う現実のユーザが各ＰＣワークステーションを操作することにより、機構システムをシミュレートしていた。このアプローチは、比較的コストが高いために、組織のシステムの小部分のみがシミュレートできた。
【０００５】
上述した典型的な大きい機構の総合的なコンピューター研究所は、多くのＰＣワークステーションを含むだろう。各々は、モニターもしくはキーボードビデオマウススイッチ（ＫＶＭ）、ネットワークスイッチ、複数のサーバ及び記憶装置などに接続した。この非生産品環境で、その機構は、異なる操作シナリオの試験、新しいソフトウェアやハードウェア配備の試験、及び機構上で操作システム（生産）に干渉することなく、システムスケーリング、トレーニング及び検査を行うことを可能にする。
【０００６】
そのようなシミュレートされた環境における主要な不利益は以下のとおりである：
・高価なビルディングブロック−実際のＰＣ及び研究室に必要とされた広大な床面積による、試験システムの構築における高い設備投資費用。
・ネットワーク及び複数のチャンネルＫＶＭに必要な複雑な配線による、高い維持費用。さらに、環境の分散管理は、管理及びトラブルシュートのための大規模な労働力を必要とする。
・ワークステーション側のスケーラビリティの不足−非常に広大なスペース、周辺装置、及びケーブル配線を必要とするような、数百のＰＣワークステーションを配置することは実際的ではなかった。
・長期のセットアップ及び柔軟性の欠如−各々のセットアップ又は変更は、全てのケーブル配線に関することによって構築し確認するために数日または数週間費やすかもしれない。
【０００７】
今日利用可能な別の一般的な選択は、機構を再構築するために少数の物理的コンピュータ上で作動する多くの仮想マシンを用いることである。この選択は、その前の選択よりも費用効率がさらに良いかもしれないが、ワークステーションのシミュレーションのためのそのようなシステムで達成された正確さのレベルは、大抵の機構で必要とされるレベルにほど遠い。ワークステーションのように実際のハードウェアを使用することなく、大規模な分散システムの動作を予想するのは難しい。さらに、仮想マシンは、サーバと記憶装置のようなシミュレートされたシステムでの他のセグメントのために最良のソリューションを設けることができる。
【０００８】
今日、サーバコンソリデーション及びサーバを用いたコンピューティングトレンドを備えた、ますます多くのＰＣワークステーションは、クライアントのみに操作され、及び多くはシンクライアントと交替される。これは、信頼できて且つ経済的なシステム操作を保証するための大きな機構に対してさらに強力な難問をもたらす。シンクライアントトレンドを備えることにより、機構の情報技術（ＩＴ）システムを部分的に又は完全に麻痺させることができる、集中化された故障という固有のリスクがさらに出現した。セキュリティ攻撃、ウィルス、データセンター故障、ネットワーク障害及び突然の負荷のようなシナリオは、容易に繰り返しドミノ効果を引き起こし、それ故に、予測し、回避し及び回復するのが非常に難しくなる。
【０００９】
シンクライアント技術は、他方ではそれらに小さいスペース及び低価格での所有により効率的な配置及び大きな総合研究所を維持することができる大きな機構のための独特の機会をもたらした。さらに、シンクライアントワークステーションの使用は、同様にＰＣワークステーションをシミュレートする効率的なツールとなることができる。
【００１０】
シンクライアントワークステーションの場合には、シミュレートされたユーザワークステーションとして単一のプラットフォーム上で作動する複数の仮想の（シミュレートされた）クライアントを用いる選択があるが、シンクライアントが完全に異なるアーキテクチャを用いており且つ現在の仮想マシン中ではシミュレートするのが難しいので、そのシミュレーションは、ＰＣワークステーション上においてさらに信頼できないであろう。
【００１１】
これらの危険性を克服し、かつ大きなシンクライアント配備のための安全なアーキテクチャを確定し及び認可するために、目的生産環境において用いられる実際のワークステーションハードウェア及びソフトウェアを備える実際的な大規模ユーザワークステーションシミュレーションを可能にするツール及び方法を開発する必要性がある。
【００１２】
それ故に、集中的管理、実用性及び無制限のスケーラビリティを具備する、コンパクトで、高密度で、速やかに配備可能で及び高度に管理されたの複合シンクライアントシステムである必要性がある。シンクライアントブレードシステムは、異なる操作シナリオを試験して及びトレーニングするために情報技術研究所及びデータセンター操作の必須の構成要素が設けられるだろう。
【００１３】
シンクライアントモジュラーアレイシステムの分野に関連する一般的なバックグラウンドは、以下の出版物で見つけることができる：
１．「統合イーサネット（登録商標）スイッチモジュールを利用するバックプレーンを横切った経路を通るイーサネット（登録商標）を備えるモジュールサーバアーキテクチャ」−米国特許出願第２００２／０１２４１１４号、Ｂｏｔｔｏｍ，  Ｄａｖｉｄ  Ａら、２００２年９月５日。
２．「ブレードサーバモジュール」、米国特許第６，６６５，１７９号、Ｃｈｏｕ、２００３年１２月１６日。
３．「カバーを備えたサーバブレードシャシミッドプレーンプリント回路基盤」、米国意匠第Ｄ４９３，１５２号、Ｂａｋｅｒら、２００４年７月２０日。
４．「ブレード除去で保証する気流バイパスダンパを備えるサーバブレードシャシ」、米国特許第６，７７１，４９９号、Ｃｒｉｐｐｅｎら、２００４年８月３日。
５．「ブレードの機能的な拡張のための装置及びシステム」、米国特許第６，８１９，５６７号、Ｂａｋｅｒら、２００４年１１月１６日。
６．「オープンアーキテクチャモジュラーコンピューティングシステムの構成要素を試験するための試験システム」米国特許出願第２００４／０２３０８６６号、Ｙａｔｅｓ，  Ｋｉｒｋ  ら、２００４年１１月１８日。
７．「ＨＰ統合クライアントインフラストラクチャ（ＣＣＩ）」企業ＩＴ費用の削減の支援」  ＨＰ５９８２−１１３３ＥＮ白書、第２改定版、２００３年１１月。
【特許文献１】米国特許出願第２００２／０１２４１１４号
【特許文献２】米国特許第６，６６５，１７９号
【特許文献３】米国意匠第Ｄ４９３，１５２号
【特許文献４】米国特許第６，７７１，４９９号
【特許文献５】米国特許第６，８１９，５６７号
【特許文献６】米国特許出願第２００４／０２３０８６６号
【非特許文献１】「ＨＰ  Ｃｏｎｓｏｌｉｄａｔｅｄ  Ｃｌｉｅｎｔ  Ｉｎｆｒａｓｔｒｕｃｔｕｒｅ  （ＣＣＩ）  −  Ｈｅｌｐ  ｒｅｄｕｃｅ  ｅｎｔｅｒｐｒｉｓｅ  ＩＴ  ｃｏｓｔｓ」、  ＨＰ５９８２−１１３３ＥＮ白書、第２改定版、２００３年１１月
【発明の開示】
【発明が解決しようとする課題】
【００１４】
従って、本発明の主たる目的は、先行技術の不都合を克服し、並びにモジュラーシンクライアントモジュールを用いるモジュラーシンクライアント装置、システム及び方法を提供することである。
【課題を解決するための手段】
【００１５】
本発明は、共通のミッドプレーンもしくはバックプレーンに並びに１つもしくはそれ以上の電源及び１つもしくはそれ以上のコンピューターネットワークで作動する複合シンクライアントを可能にするための１つもしくはそれ以上の管理モジュールに、取り外し可能に連結可能な複合シンクライアントブレードを含むモジュラーシャシが提供される。本発明は、大きなコンピュータインフラストラクチャをシミュレートするために容易に接続され及び管理される、多くのシンクライアントワークステーション及びあるいは多くのシミュレートされたユーザを具備する、大型コンピューター研究所環境を構築するのを可能にする。内部ＫＶＭ機能性及びオプションをつなぐことは、単一の管理ユーザが多数のシンクライアントワークステーションを一組のキーボード、マウス及びディスプレイのセットによって、リモートに且つローカルに容易に監視し及び管理することを可能にする。
【００１６】
さらに、複雑なサーバを用いたコンピューティング環境において、正常及び異常な操作シナリオの試験及びシミュレーションを含む機能の結合を成し遂げる一般的な方法が、本発明に示される。
【００１７】
本発明の別の実施形態では、モジュラーシンクライアントブレードシステムが開示される。システムは：シンクライアントブレードモジュールインサートを受け入れ可能な複合ベイを備えるモジュラーシャシ；各ベイ、共通の電源バス、及び上記ブレードベイを相互に連結させる管理バスのコネクタを備える少なくとも１つのミッドプレーン又はバックプレーン；上記ミッドプレーンもしくはバックプレーンコネクタを備える互換性をもつ嵌合コネクタを介して、上記ミッドプレーンもしくはバックプレーンに取り外し可能に連結可能な複数のシンクライアントブレード；ネットワークスイッチもしくはハブを介してネットワークに各々の少なくとも１つのシンクライアントブレードを接続する少なくとも１つのネットワークインターフェイスを含む。
【００１８】
いくつかの実施形態において、さらに望ましい実施形態におけるシステムは、各々の上記複数のシンクライアントブレードモジュールを中央で監視し、構成し及び制御するための管理モジュールを含む。
【００１９】
いくつかの実施形態において、ＫＶＭモジュールは、上記シャシのうちの１つに挿入可能なよりも多くのシンクライアントブレードの集中的管理を可能にするために、複数の同様なシステムのチェイニングが可能になる。
【００２０】
本発明のいくつかの望ましい実施形態において、複数の差し込み可能なシンクライアントブレードモジュールの受け入れのために構成されたシンクライアントブレードシャシが提供される。上記シャシは：シンクライアントブレードモジュールインサートを受け入れ可能な複合ベイを備えるモジュラーシャシ；各ベイ、共通の電源バス及び上記ブレードベイを相互に連結させる管理バスのコネクタを備える少なくとも１つのミッドプレーン又はバックプレーン；上記シンクライアントブレードモジュールの選択可能な１つにユーザキーボード、マウス及びディスプレイの接続が可能なＫＶＭモジュール；  並びに、上記モジュラーシンクライアントブレードに電力を提供する少なくとも１つの電源モジュールを含む。
【００２１】
本発明のいくつかの他の望ましい実施形態において、差し込み可能なシンクライアントブレードモジュール装置が提供される。上記クライアントブレードモジュールは、：上記ミッドプレーンもしくはバックプレーンコネクタからの電源を受け取り、及び上記ミッドプレーンもしくはバックプレーンで情報を交換するために、ミッドプレーンもしくはバックプレーンコネクタとインターフェース接続するように構成される組合せコネクタ；ＬＡＮトランシーバであって：上記嵌合コネクタ、ＬＡＮコネクタ及びＬＡＮコントローラ；上記情報を処理するプロセッサ；上記プロセッサによって用いられる情報及びプログラム命令を保管するための揮発性メモリ；上記プロセッサによって用いられるプログラム命令を保管するための不揮発性メモリ；並びに、バスであって：ＬＡＮ制御装置、不揮発性のメモリ、揮発性メモリ及びプロセッサに接続するものを含む。
【００２２】
本発明のいくつかの実施形態において、挿入可能な管理モジュールが提供される。上記管理モジュールであって：上記ミッドプレーンもしくはバックプレーンコネクタからの電源を受け取り、及び上記ミッドプレーンもしくはバックプレーンで情報を交換するために、ミッドプレーンもしくはバックプレーンコネクタとインターフェース接続するように構成される組合せコネクタ；上記バックプレーンコネクタからの電源を受け取り、及び上記ミッドプレーンもしくはバックプレーンで情報を交換するために、ミッドプレーンコネクタとインターフェース接続するように構成される組合せコネクタ；ＬＡＮトランシーバであって：上記嵌合コネクタ及びＬＡＮコントローラ；上記情報を処理するプロセッサ；上記プロセッサによって用いられる情報及びプログラム命令を保管するための揮発性メモリ；上記プロセッサによって用いられるプログラム命令を保管するための不揮発性メモリ；ユーザ入出力装置を備えて情報を交換することができるＩ／Ｏコントローラ；ビデオ信号を生成することができるビデオコントローラ；並びに、バスであって：Ｉ／Ｏコントローラ、ビデオコントローラ、ＬＡＮコントローラ、不揮発性メモリ、揮発性メモリ及びプロセッサに接続するものを含む。
【００２３】
本発明のさらに他の望ましい実施形態において、大規模に構築するための中央で管理ができるマルチシンクライアントシステムの方法が提供される。上記方法は、：複数の挿入可能なシンクライアントブレードモジュールを受け入れるために、各々構成された複数のシンクライアントブレードシャシを設けることであって：シンクライアントブレードモジュールインサートを受け入れることができる複合ベイを備えるモジュラーシャシ；各ベイ、共通の電源バス及び上記ブレードベイを相互に連結させる管理バスのコネクタを具備する少なくとも１つのミッドプレーンもしくはバックプレーン；上記シンクライアントブレードモジュールの選択可能な１つのユーザキーボード、マウス及びディスプレイを接続することができるＫＶＭモジュール；少なくとも２つの上記複数のシンクライアントブレードシャシの上記ＫＶＭモジュールをチェイニングを各々に含む工程を含む。
【００２４】
本発明の追加の望ましい実施形態において、マルチシンクライアントシステムをシミュレートする方法が提供される。上記方法は、：複数の挿入可能なシンクライアントブレードを受け入れるために、各々構成された複数のシンクライアントブレードシャシが設けられて：各々の上記複数のシンクライアントブレードシャシに、複数のシンクライアントブレード及び単一の管理モジュールを挿入し；ネットワークスイッチに各々の上記複数のシンクライアントブレードを接続し；サーバに前記ネットワークスイッチを接続する工程を含む。
【００２５】
本発明のさらなる特徴及び利点は、ここに含まれている図面と明細書から明らかになる。
【発明を実施するための最良の形態】
【００２６】
以下の詳細な記述は、本発明を実行するのに現在熟考された最良の様式である。この記述は限定する意味に取られず、単に本発明に従って一般原則を示す目的でなされる。本発明の範囲は、添付された請求項によって最も良く定義される。
【００２７】
添付図面中で示されるように、本発明の前述した及びその他の物、特徴及び利点は、以下の本発明の例示の実施形態のより特定した記述から明らかになる：
【００２８】
図１において、シンクライアントモジュラーブレードシステム１００の実施形態の正面像が言及される。シャシラック取付穴１０は、標準のラックにシャシ１１０を固定するために用いられる。典型的には、標準の１９インチラックの形状は、必要に応じて複合セットのシンクライアントモジュラーブレードシステム１００及びネットワークスイッチの垂直のビルドアップを可能にするために用いられる。シャシ１１０は、複合シンクライアントブレードモジュール４０及び単一の管理モジュール４２が取り付けられる。シンクライアントブレードモジュール４０は、実質的に同一であるが、一般的に、ユーザは、同じ型のもしく混合した型の２０個までのモジュールを設置することができる。ユーザは、モジュールの利用可能性及びユーザによって定義されたターゲットシステムに依存して、部分的にシャシ１１０を満たすこともできる。管理モジュール４２は、全てのモジュールの集中的管理及び監視を可能にする。シャシ１１０の構造は、そこに設置する複数のシンクライアントブレードモジュール４０を有効にする。シンクライアントブレードモジュール４０は、複数の型において利用可能でもよい。必要に応じて複数のシステムの特徴を作るために、複数のモジュラーブレード型は、同じもしくは別々のシャシに柔軟に設置されてもよい。
【００２９】
図２ａにおいて、本発明の望ましい実施形態による例示のシンクライアントブレードモジュール４０のさらなる詳細な正面像が言及される。シンクライアントブレードモジュール４０は、固定具１１によってシャシ１１０に選択可能に固定される。固定具１１は、拘束螺子、ズースファスナー又は螺子でもよい。
【００３０】
選択可能に、シンクライアントブレードモジュール４０は、指示器１２を装備している。指示器１２は、シンクライアントブレードモジュールの現在の状態を示す着色光を生成することができる発光ダイオード（ＬＥＤ）もしくはＬＥＤの組合せの様式であってもよい。例えば、緑色の信号は、モジュールの通常作動状態を示すために用いられてもよく、一方で赤色の信号は、モジュール故障を示していてもよい。
【００３１】
ＬＡＮジャック１３は、望ましくは遮蔽されたＲＪ−４５ジャックである、外部ネットワークスイッチにモジュールを接続するために用いられる。外部ケーブル配線は、ネットワーク選択及び構成における最大限の柔軟性を可能にする、ネットワークスイッチもしくはハブに、シンクライアントブレードモジュール４０を接続するために望ましくは用いられる。
【００３２】
ＬＡＮジャックへ統合された選択可能な２つのＬＥＤ１４及び１５は、ＬＡＮ接続及び活動の状態をそれぞれ示す。これらの光は、システムの設置、監視、及びメンテナンスのために迅速で且つ目に見えるネットワーク状態の情報をユーザに提供する。
【００３３】
選択可能なアナログビデオ出力ジャック１６は、シンクライアントブレードモジュール４０へのコンピューターディスプレイの直接の接続を可能にする。
【００３４】
選択可能な電力−リセットスイッチ１７は、望ましくは二重作用を備える３つの位置の瞬時スイッチであり−それを上方に押すことは、二者択一にモジュールの電源のオンオフとなる。それを下方に押すことは、シンクライアントの再起動を引き起こしてモジュールをリセットする。望ましくは、リセット及び電源をオンにすることは、図３でより詳細に記載されている管理モジュール４２を介して、中央で制御されてもよい。
【００３５】
望ましくはＬＥＤの様式である、指示器１９に選択された選択可能なＫＶＭモジュールは、複数のシンクライアントブレードモジュールのどれがシャシ１１０にある内部ＫＶＭモジュール４４（モジュール４４は、図４に示される）によって現在選択されているかを示す。望ましくは、緑色のＬＥＤ１９は、複数のシンクライアントブレードモジュールのどれが管理モジュール４２によってリモートに選択されたかを示して光る。
【００３６】
選択可能な押しボタン１８は、ＫＶＭ手動オーバーライドスイッチである。ＫＶＭ手動オーバーライドスイッチ１８が押される場合、シャシ内のＫＶＭモジュール４４は、ＫＶＭ手動オーバーライドスイッチが押された特定のシンクライアントブレードモジュールを選択するように指示される。この手動の選択は、以前に管理モジュールコントロールを介してユーザによってなされた他の選択を無効にしてもよい。この場合、ＫＶＭに選択された指示器１９は、緑色に光る。
【００３７】
選択可能なエジェクタ２０は、モジュールのロック及び排出の援助に供する。エジェクタ２０は、差し迫ったモジュールの除去／設置を管理モジュールに通知するためのスイッチが取り付けられてもよい。これは、システムの電源がオンの間にモジュールが交換される場合に、ホットスワップ機能を有効にするために必要とされてもよい。
【００３８】
代わりに、シンクライアントブレードモジュール４０は、幾分もしくは全部の他の上述した要素が欠けている間に、その前面パネルの上に少なくともＬＡＮコネクター１３を具備するヘッドレスシンクライアントブレードである。
【００３９】
代わりに、或いは加えて、モジュール４０は、その前面パネル上に追加要素を含む。例えば、１つのもしくは若干の：キーボードコネクタ、マウスコネクタ、ユニバーサルシリアルバス（ＵＳＢ）コネクタ、オーディオコネクタ、追加の指示器などである。
【００４０】
図２ｂにおいて、本発明の別の望ましい実施形態によるデジタルビデオ端子（ＤＶＩ）及びユニバーサルシリアルバス（ＵＳＢ）ポートを備えるシンクライアントブレードモジュールの正面図４１がこれから言及される。
【００４１】
シンクライアントブレードモジュール４１は、固定具１１によってシャシ１１０に選択可能に固定される。固定具は、拘束螺子、ズースファスナー又は螺子でもよい。
【００４２】
選択可能に、シンクライアントブレードモジュール４１は、指示器１２を装備している。選択可能な指示器１２は、モジュラーブレードの状態を示す光を生成することができる発光ダイオード（ＬＥＤ）もしくはＬＥＤの組合せの様式であってもよい。例えば、緑色の信号は、モジュールの通常作動状態を示し、一方で赤色の信号は、モジュール故障を示す。
【００４３】
ＬＡＮジャック１３は、望ましくは遮蔽されたＲＪ−４５ジャックである、外部ネットワークスイッチにモジュールを接続するために用いられる。
【００４４】
ＬＡＮジャックへ統合された選択可能な２つのＬＥＤ１４及び１５は、ＬＡＮ接続及び活動の状態をそれぞれ示す。
【００４５】
選択可能なデジタルビデオ（ＤＶＩ）出力ジャック１１６は、モジュールへのデジタルコンピューターディスプレイの直接の接続を可能にする。ＤＶＩ出力ジャック１１６を利用することは、アナログビデオ出力の利用よりもさらに柔軟性を可能にする。例えば、ディスプレイモニターは、ブレードモジュールからのより遠い距離に置かれてもよい。同様により古いアナログディスプレイをサポートするために、ＤＶＩは、デジタル信号のみ、もしくはデジタル及びアナログ出力の組み合わせを用いて実装されてもよい。
【００４６】
選択可能なＵＳＢポートコネクタ１１７は、シンクライアントブレードモジュール４１へのキーボード及びマウスのような外部ＵＳＢ周辺装置の直接の接続を可能にする。
【００４７】
選択可能な電力−リセットスイッチ１７は、望ましくは二重作用を備える３つの位置の瞬時スイッチであり−それを上方に押すことは、二者択一にモジュールの電源のオンオフとなる。それを下方に押すことは、モジュールをリセットする。望ましくは、リセット及び電源をオンにすることは、図３でより詳細に記載されている管理モジュール４２を介して、中央で制御されてもよい。
【００４８】
望ましくはＬＥＤの様式である、指示器１９に選択された選択可能なＫＶＭは、複数のブレードのどれがシャシ１１０にある内部ＫＶＭモジュール４４（モジュール４４は、図４に示される）によって選択されているかを示す。望ましくは、指示器１９の緑色のＬＥＤは、複数のシンクライアントブレードモジュールのどれが管理モジュール４２によってリモートに選択されたかを示して光る。
【００４９】
選択可能な押しボタン１８は、ＫＶＭ手動オーバーライドスイッチである。ＫＶＭ手動オーバーライドスイッチ１８が押される場合、シャシ１１０内のＫＶＭモジュール４４は、ＫＶＭ手動オーバーライドスイッチが押されたシンクライアントブレードモジュールを選択するように指示される。この場合、ＫＶＭに選択された指示器１９は、緑色に光る。
【００５０】
選択可能なエジェクタ２０は、モジュールのロック及び排出の援助に供する。エジェクタ２０は、モジュールの除去／設置を管理モジュールに通知するためのスイッチが取り付けられてもよい。これは、システムの電源がオンの間にモジュールが交換される場合に、ホットスワップ機能を有効にするために必要とされてもよい。
【００５１】
図３において、管理モジュール４２前面パネルの詳細の図が示され、これから言及される。本発明の例示の実施形態のこの正面図では、選択可能な固定具１１及び選択可能なエジェクタ２０は、前の図面と同じである。
【００５２】
望ましくはＬＥＤである、選択可能な主電力指示器２２は、全体のシステムのための電力指示器である。例えば、緑色が光る時、電力は、シャシ及び全てのモジュールに利用可能である。
【００５３】
望ましくは固定されたトグルスイッチである、主電源スイッチ２３は、システムのシャシ及び全てのモジュールの代わりに電力のオンオフのために用いられた。このスイッチは、ロジックコマンドに電力を入れたり切ったりするために電源に接続されてもよい。
【００５４】
選択可能なディスプレイ２４は、システムの状態コード及び任意に選択されたモジュール番号を示す読取り可能な英数字のディスプレイが設けられる。望ましくは、ディスプレイ２４は、小さな液晶ディスプレー（ＬＣＤ）もしくはセグメント化されたＬＥＤディスプレイである。
【００５５】
選択可能な前方キー２５及び後方キー２４は、ユーザがシャシにおけるもしくはチェイニングオプションを備える異なるシャシにおいてさえ、特定のシンクライアントブレードモジュールを手動で選択できるようにするために用いられる。
【００５６】
アナログビデオ出力コネクタ３０は、ＫＶＭモジュール４４（図４に示される）に内部で接続されたディスプレイのために出力される。適当なモジュールの選択によって、ユーザは、単一のビデオ出力ポート３０を介して操作モジュール４０もしくは４１の各１つを監視してもよい。ＵＳＢポート３２は、望ましくはユーザのマウス及びキーボードを接続する２つのＵＳＢポートである。これらのポートは、シンクライアントブレードモジュール４０の各１つと相互作用できるように、ＫＶＭモジュール４４に内部で接続される。
【００５７】
図４において、モジュラーシステム１７５に組み立てられた様々な構成要素間の接続を示す本発明の実施形態のブロック図が示され、これより言及される。システム１７５の主要構成要素は、複数のシンクライアントブレードモジュール４０、単一の管理モジュール４２、ネットワークスイッチ１２０及びサーバー１３３を保持する、そのインサートコンパートメント１１１を備えるシャシ１１０である。
【００５８】
複合シンクライアントモジュール４０もしくは４１は、嵌合コネクタを介してインサートコンパートメント１１１の後ろのミッドプレーン内部バス６０に接続される。シンクライアントブレードモジュール４０もしくは４１は、ミッドプレーン内部バス６０を介して電源２６によって電力の供給を受ける。シンクライアントブレードモジュール４０は、ミッドプレーン内部バス６０の間で一定の制御コマンドを受信する（及び選択可能に送信する）。バス６０は、モジュール４０もしくは４１のビデオ信号を受信する。ミッドプレーンバス６０は、ＵＳＢ、シリアル、システム管理バス、及びオーディオのようなシンクライアントブレードモジュール４０もしくは４１の様々なＩ／Ｏ制御信号を送受信する。ミッドプレーン内部バス６０は、単一の管理モジュール４２にも接続される。
【００５９】
ここで前に言及されたように、ＫＶＭモジュール４４は、望ましくはシャシ１１０に設置される。代わりに、ＫＶＭモジュール４４は、シャシの外部もしくはさらにはリモートに設置してもよい。ＫＶＭモジュール４４は、それが様々なシンクライアントモジュール信号を送受信することが可能であるリンク７８を介してミッドプレーン内部バス６０に接続される。これらの信号は、ＫＶＭモジュール４４によって選択されているＵＳＢ、ビデオ、オーディオ及び様々な制御信号を含んでいてもよい。選択されたシンクライアントモジュール信号は、ＫＶＭ出力バス８５に接続される。
【００６０】
ＫＶＭモジュール４４は、シンクライアントモジュール４０に接続した複数の入出力信号と単一のユーザのディスプレイ、キーボード及びマウスの接続を可能にする１セットの同じ信号との間における論理セレクタスイッチとして供する。ＫＶＭ出力バス８５は、ミッドプレーン内部バス６０を介して管理モジュール４２へ、並びにＩＰモジュール４６及びＫＶＭの連鎖モジュール４５を通じて選択可能なＫＶＭへも、選択されたモジュール信号を送る。管理モジュール４２を通過したＫＶＭ出力信号は、管理モジュール４２（図３に示される）の前面パネルでビデオコネクタ３０及びＵＳＢコネクタ３２に接続した。
【００６１】
選択可能に、管理モジュール４２は、独特のコネクタを使用し、全てのバス信号のための末端として供する。この実施形態では、管理モジュール４２は、シャシ１１０における指定の位置に挿入されてもよい。それは、いくつかのモジュラーブレードラックシステム１７５のカスケーディングを可能にするＫＶＭ連鎖モジュール４５にも接続される。複数のシャシ間のチェイニングは、ユーザがそのディスプレイ、キーボード、及びマウスを物理的に接続したり切断したりする必要性の無い多数のシンクライアントブレードモジュールの制御及び監視を可能にする。チェイニングは、特にこの目的のための各システムシャシの後ろに接続している特別のケーブルによって行われることができる。これらのケーブルは、２つのシャシ間のアナログ及びデジタル信号を伝えることができる。その複数のシャシのチェイニングのような複数のケーブルを用いて、単一の管理モジュールを介して管理された複数のシャシの連鎖した構造を構築することができる。１つのコンソールを介して複合システムを管理するための別の代替案は、ＩＰオプションを通じてＫＶＭが設置された場合はＬＡＮを介して、もしくはシャシ後部にある特別なチェイニングインコネクター８８及びチェイニングアウト８９コネクタを介してである。これらのチェイニングコネクタは、マスターモジュールになる単一の管理モジュールによって管理された大きな構造を形成するように、シャシの多数をカスケードするために使用される。
【００６２】
ＩＰモジュール４６を通じた選択可能なＫＶＭは、標準ウェブブラウザを介してシステムにリモートアクセス及び制御を提供する。このモジュールは、標準ウェブページを介してビデオ、オーディオ、マウス、及びキーボード対話を伝える専用ウェブサーバサービスを実行するコンピュータを含む。ＩＰモジュール４６を通じたＫＶＭのＬＡＮインターフェース２７は、ネットワークスイッチ及び適当なネットワークにモジュールを接続する。これは、ネットワーク中の他のコンピュータ又はシンクライアントがそのシステムに接続し、及びその機能を管理することを可能にする。
【００６３】
単一もしくは複合の電源２６は、様々なシステムモジュールに電力を供給するために、ミッドプレーン内部バス６０を介して低電圧ＤＣの電源が設けられる。電源２６は、主電力入力もしくは４８のＤＣ電源に典型的に接続される。電界効果トランジスタ電力スイッチングは、電力スイッチングを介してモジュールホットスワップ及びリモート電力管理を支援するために使用されてもよい。
【００６４】
選択可能に、クーリングモジュール７６は、システムを介して冷却エアの強制的な流れを設けるために追加されてもよい。ほとんどの場合、このモジュールは、シンクライアント及び特に縮小命令セットコンピュータ（ＲＩＳＣ）を用いた装置が比較的に低電力の装置であるため、実装されないであろう。
【００６５】
望ましくは、外部もしくは内部ネットワークスイッチ１２０は、シンクライアントブレードモジュール４０もしくは４１の各一つを、シンクライアントブレードモジュールの各一つにおけるＬＡＮコネクタ１３に接続したＬＡＮ線１０２を用いるネットワークに接続する（ＬＡＮコネクター１３は、図２ａ及び２ｂにおいて示される）。
【００６６】
代わりに、スイッチ１２０は、シャシ内に統合されてもよい。選択可能に、ミッドプレーン内部バス６０は、線１０２及びコネクタ１３の必要性をなくすＬＡＮコネクタを含んでよい。
【００６７】
スイッチ１２０は、管理されていないかもしくは望ましくは各ポート及び取り付けられたモジュールに独立した特別のプログラミング及び設定を可能にする管理されたスイッチでもよい。管理されたスイッチの別の利点は、各ポートの仮想ローカルエリアネットワークを定義するためのその能力である。内部もしくは外部のプログラム可能なバンド幅、限定した特徴は、様々なローカルエリアネットワーク（ＬＡＮ）及びワイドエリアネットワーク（ＷＡＮ）シミュレーションを可能にするために追加されてもよい。
【００６８】
スイッチ１２０は、望ましくはラックマウント式のネットワークスイッチであって、ケーブル１０２の長さを短くするようにシャシ１１０の上もしくは下に望ましくは据え付けられる。
【００６９】
サーバ１３３は、ＬＡＮケーブル１０８によってスイッチ１２０に接続される。サーバ１３３は、ラックの近くにもしくは遠くに位置するラックマウントのサーバもしくは標準のサーバであってもよい。
【００７０】
図５において、さらなるシンクライアントブレードモジュール４０もしくは４１及びシステムミッドプレーン内部バス６０の間の様々な相互接続のさらなる詳細な図が示され、これより言及される。これらの相互接続は、典型的には、ミッドプレーン内部バス６０上のミッドプレーンコネクタ８０ｂと嵌合する、シンクライアントブレードモジュール上のモジュールコネクタ８０ａを通過する。
【００７１】
デジタルもしくはアナログビデオ出力１８２は、シンクライアントブレードモジュール４０もしくは４１からミッドプレーン内部バス６０まで通過する。その後、それは、単一のディスプレイ装置が任意の選択可能なブレードモジュールに選択的に接続することを可能にするために、内部ＫＶＭモジュール４４によって切り替えられる。
【００７２】
線１８３は、ミッドプレーン内部バス６０にシンクライアントブレードモジュール４０もしくは４１を接続するＵＳＢポートである。ミッドプレーン内部バスから、ＵＳＢは、ＫＶＭモジュールに配線され、それは管理モジュールパネル４２に取り付けた前面パネルコネクタを介して、もしくはＵＳＢコネクタで最終的に終端となった他の（連鎖）システムを介して、ユーザのマウス及びキーボードに接続された単一のＵＳＢポートへ切り替えられる。
【００７３】
各シンクライアントブレードモジュール４０を備える管理モジュール中の様々な管理機能に相互に連結する制御信号１８４がある。これらの信号は、モジュールモード及び設定を検出し、電力と状態情報を送り、モジュール選択、リセット及び電源スイッチングのような様々なスィッチング機能を有効にするために使用される。
【００７４】
シンクライアントブレードモジュールへの電源は、電力プレーン１８５を通過する。これは、典型的に電圧降下及び電源雑音を減らすために耐久力のあるコネクタ接触を介して配線された高電流線である。コネクター８０ａ及び８０ｂ中のある電力ピンは、シャシ電力の下でモジュールを設置及び除去した時に、モジュールへの電力が最後に接続され且つ最初に切断されることを保証するように少なくしてもよい。
【００７５】
オーディオ入出力信号１８６は、ミッドプレーン内部バス６０を通過し及びそこからに内部ＫＶＭモジュール４４が配線されている。
【００７６】
図６において、高水準のシステム図がこれより言及される−本発明の望ましい実施形態によると、シンクライアントモジュラーブレードシステムの相互接続を示す。１つもしくはそれ以上のシンクライアントブレードモジュラーシステム１００は、各モジュールＬＡＮポート１３とネットワークスイッチ中のそれぞれのポートの間の橋渡しをする、短いＬＡＮケーブル１０２を介して１つもしくはそれ以上のネットワークスイッチ１２０に接続された。
【００７７】
管理モジュール４２は、ＩＰを通じたリモート管理及びリモートＫＶＭ機能を有効にするために、ネットワークスイッチに接続されてもよい。
【００７８】
ネットワークスイッチ１２０中のアップリンクポート１０６は、完全なサーバを用いたコンピューティング環境を作るために、ＬＡＮケーブルもしくはサーバ１３３へのファイバ接続１０８と接続する。サーバ１３３は、必要に応じて物理サーバもしくは複合仮想サーバであってもよい。この基本システムは、容易にさらなる多くのシンクライアントモジュラーブレードシステム、追加のＬＡＮ且つＷＡＮ装置及びシミュレータ、並びに複合サーバ且つサーバブレード及び保存機器へ規模を拡張してもよい。
【００７９】
本発明を使用して、シンクライアントの多数を構築及び管理することは、比較的簡易である。例えば標準の４２Ｕラックは、２４０のシンクライアントシステムを作るために、１２ｘ３Ｕのシンクライアントブレードモジュラーシステムを取り付けてもよい。この配置で、各シンクライアントモジュラーブレードシャシは、２０個までのシンクライアントブレードモジュールを囲まれ、及び２つの同様のラックは、ネットワークスイッチを管理する１つの１Ｕの４８ポートを共有している。より高密度のシャシは、さらに小さなスペースでより多くのシンクライアントブレードを有効にするのと同じ方法で構築することができる。
【００８０】
図７において、望ましい実施形態のシンクライアントブレードモジュラーシステム１４１を示す高水準のシステム図が描かれ、これより言及される。１個のネットワークスイッチ１２０は、２つのシャシ１１０の間にはさまれる。完全に占められた時には、各シャシ１１０は、２０個のシンクライアントブレードモジュール４０もしくは４１、及び１つの管理モジュール４２を含む。短いＬＡＮケーブル１０２は、ネットワークスイッチ１２０にシンクライアントブレードモジュール４０もしくは４１の各ＬＡＮポート１３と接続する。
【００８１】
ネットワークスイッチ１２０中のアップリンクポート１０６は、完全なサーバを用いたコンピューティング環境を作るために、ＬＡＮケーブルもしくはサーバ１３３へのファイバ接続１０８と接続される。複数のシステム１４１は、単一もしくは複合サーバ１３３によって、構築及び提供されてもよい。
【００８２】
図８において、本発明の望ましい実施形態によるシンクライアントブレードモジュールのブロック図２００が描かれ、これより言及される。この図面は、図２に描かれたような典型的なコンピューティング装置のブロック図を示す。
【００８３】
シンクライアントブレードシステム２００は、下記構成要素の各１つもしくはそれ以上から構成されるシンクライアントもしくはシミュレートされたＰＣワークステーション機能を実行可能なデータ処理電子システムである。
【００８４】
プロセッサ２０１は、ユーザもしくはシミュレートされたユーザによって必要に応じて入力された格納プログラム及びデータ、周辺装置並びにネットワークを処理する。プロセッサ２０１は、望ましくは、それらのより低い電力消費及び低発熱のために利用可能な縮小命令型コンピュータ（ＲＩＳＣ）から選ばれる。代わりに、複雑命令セットコンピュータ（ＣＩＳＣ）、セキュリティ及び暗号化エンジン、デジタル信号プロセッサ（ＤＳＰ）もしくは十分な処理能力を備えるデジタル処理装置の任意の他の型もしくは組合せは、それがシミュレートしている実際の標的となるシンクライアント装置に類似する装置構造を実装するために使用されてもよい。プロセッサ２０１は、オンダイ高速キャッシュメモリもしくは外部キャッシュ又は２つの組み合わせを含んでもよい。
【００８５】
メモリコントローラ／ブリッジ２１５は、揮発性メモリ２１６及びバス２１８を備えるプロセッサ２０１にインターフェース接続する。この機能及びその他は、プロセッサ２０１に統合されるか、又は異なるチップもしくはチップセットに別々に設置されてもよい。揮発性メモリ２１６は、プロセッサ２０１によって必要に応じて一時データの保存に使用される。メモリ２１６は、ＲＡＭ型、ＳＤＲＡＭ、ＤＤＲＡＭもしくは他の型の揮発性メモリでもよい。
【００８６】
内部バス２１８は、シンクライアントブレードモジュールの様々な部品を接続し、単一もしくは複合バス、１６、３２もしくは６４ビットのＰＣＩ、又は他のバス型でもよい。複合バスが実装される場合、バスブリッジモジュールは、異なるバスをインターフェース接続及び動かすために追加されてもよい。
【００８７】
バス２１８に接続された不揮発性のメモリ２１７は、永久にデータ、プログラム及びシンクライアントブレードモジュール操作に要求される設定を記憶する。
【００８８】
ＡＣ−９７  ＣＯＤＥＣのような選択可能なオーディオコントローラ２１９は、バス２１８及びシンクライアントブレードモジュール４０の前面パネル上の選択可能なオーディオコネクタに接続される。オーディオコントローラ２１９は、アナログ信号からデジタルストリームへの変換及び逆の変換に使用される。オーディオコントローラの間のデジタルストリームは、内部バス２１８もしくはＡＣリンクのような専用ＣＯＤＥＣバス上で直接利用可能でもよい。専用ブリッジもしくはグルーロジックは、バス２１８と上記オーディオコントローラ２１９の間にインターフェース接続するために実装されてもよい。さらに、このモジュールは、ミキサー、スイッチ、減衰器、フィルタ、増幅器などの様々なアナログ段階を含んでもよい。さらに、このモジュールは、ホームシアター及びマルチメディアアプリケーションのために改善された音出力を支援するために追加の機能及び増強作用を含んでもよい。オーディオ回路は、単一のチャンネル（モノ）、デュアルチャンネル（ステレオ）もしくはマルチメディア体験を増強するためにそれ以上であってもよい。音声入出力は、図４に示されるＫＶＭモジュール４４中のオーディオ選択機能を有効にするために、ミッドプレーンコネクタ８０ａへリンク２４４を介して接続されてもよい。
【００８９】
Ｉ／Ｏコントローラー２２０は、一方の側でバス２１８に及び反対側でリンク２３９を介してミッドプレーンコネクタ８０ｂの前面パネル及び適切なＩ／Ｏバス上のＩ／Ｏコネクタに接続している。コントローラ２２０は、モジュール前面パネル４０上でＵＳＢ、ＰＳ／２、シリアル、パラレル、ＩＥＥＥ１３９４などのような標準ポートを介して標準周辺装置に直接の接続を可能にするために、もしくはＫＶＭを介して間接のスイッチ型周辺装置の接続を可能にするために使用される。このコントローラ２２０は、外部の周辺装置に電力を供給するためにスイッチ型電源が設けられてもよい。
【００９０】
ビデオコントローラ２２１は、一方の側からバス２１８に及びシンクライアントブレードモジュール４０の前面パネル上のビデオコネクタに接続され、並びに反対の側でリンク２２８を介してミッドプレーンコネクタ２１８に接続される。それは、外部アナログもしくはデジタルモニターを直接的にもしくはＫＶＭを介して間接的に動かすために使用される。ビデオコントローラ２２１は、内部ビデオメモリ、外部のビデオメモリを含んでもよく、或いはそれは、ユニファイドメモリアーキテクチャ（ＵＭＡ）構造中のプロセッサ２０１を備える上記揮発性メモリ２１６を共有してもよい。
【００９１】
バス２１８に接続されたローカルエリアネットワークコントローラもしくはメディアアクセスコントローラ（ＭＡＣ）２２２は、ＬＡＮトランシーバ（物理層モジュール）２２４を介してネットワークスイッチもしくはハブを備えるシンクライアントブレードモジュールをインターフェース接続するために使用される。
【００９２】
シンクライアントブレードモジュール４０の前面パネルに設置されたコネクタ及びポートは、ＫＶＭモジュールを通過する必要無しにモジュールへの様々な外部周辺装置の直接の接続に使用される。これは、トラブルシュートするために、もしくはユーザの特別な関心がある１つもしくはそれ以上のブレードモジュールの連続的な監視を可能にするために役立ってもよい。これらのコネクタは、オーディオコントローラ２１９、Ｉ／Ｏコントローラ２２０及びビデオコントローラ２２１のような様々なポートを接続する。前面パネルは、そのブレードモジュールの直接の制御及び監視を可能にするために、いくつかのスイッチ及び指示灯を含んでよい。
【００９３】
ローカルエリアネットワークトランシーバ２２４（物理層モジュール）は、ＬＡＮコントローラ（ＭＡＣ）２２２とシンクライアントブレードモジュール４０の前面パネルに設置されるＬＡＮジャックの間をインターフェース接続する。それは、内部ネットワークスイッチの実装を可能にするために、リンク２２４を介してミッドプレーンコネクタ８０ｂに選択可能にも接続される。トランシーバ２２４は、個別のマグネチックスもしくはＬＡＮジャックで統合されたマグネチックスを含んでもよい。ブレードモジュール前面パネル４０上のＬＡＮジャックの利用可能性は、ユーザに各ブレードモジュールのそのＬＡＮ接続を容易に接続し及び監視を可能にするために特に有益である。この設計において、同一のシャシ上のシンクライアントブレードモジュールは、異なるネットワークスイッチ、ルーター、ハブ、もしくはネットワークに接続されてもよい。ＬＡＮトランシーバ２２４は、メディアインディペンデントインタフェース（ミル）バスによってもしくは他の相互接続バスによってローカルエリアネットワークコントローラ２２２に接続されてもよい。ローカルエリアネットワーク２２４トランシーバは、１００ＢＡＳＥ−ＴＸ、１００ＢＡＳＥＦＸ、１０ＢＡＳＥ−Ｔ及びギガＬＡＮもしくは求められる他のＬＡＮプロトコルをサポートしてもよい。
【００９４】
電源２２６は、その電力を異なるシンクライアントモジュール回路によって必要とされる適切な電圧出力２２７に変換するために、ミッドプレーンコネクタ８０ｂ及びリンク２２５を介してミッドプレーンバスで利用可能な電力を使用する。電源モジュール２２６は、連続する他の回路に電源が設けられるために、タイミング回路を含んでもよい。それは、適切な初動及び停電の検出を可能にするために、リセット信号の生成を含んでもよい。
【００９５】
ミッドプレーンコネクタ８０ｂは、選択可能な同一の不揮発性のメモリモジュール２２３に接続されてもよい。このメモリモジュールは、特定のシンクライアントモジュールモデル、シリアル番号、ＭＡＣアドレス並びに様々なモジュール設定及び構成を記憶するために使用されてもよい。モジュールが挿入されている場合もしくは電力がシャシにおいて利用可能な場合、この情報は、より良いモジュール管理機能を可能にするために、管理モジュールによって読み取られてもよい。
【００９６】
ここに記述された望ましいシンクライアントブレードモジュールの実施形態は、マイクロソフトウィンドウズ（登録商標）ＣＥ、リナックスもしくは他の互換性をもつ組み込まれたオペレーティングシステムのようなローカルなオペレーティングシステムを実行してもよい。もし、標準のｘ８６もしくは制限されたサイズのｘ８６と互換性をもつ実装されたハードウェアであれば、それはマイクロソフトウィンドウズ（登録商標）ＸＰもしくはＸＰが組み込まれたようなさらに一般的なｘ８６オペレーティングシステムを実行することもできる。オペレーティングシステムは、リモートサーバへの接続を可能にする複数のローカルのプログラムを実行することができる。これらのプログラムは、シトリックスサーバ、リモートウィンドウズ（登録商標）サーバをサポートするマイクロソフトターミナルサービスＲＤＰクライアントと通信するためのシトリックスＩＣＡクライアント及びレガシーシステムと直接通信する様々なローカル端末エミュレーションを含んでいてもよい。そのようなクライアントの実行は、シンクライアントコンピューティング装置はリモートサーバで作動するセッションのアプリケーションを実行可能にする。
【００９７】
それに加えて、シンクライアントコンピューティング装置は、ウェブブラウザ、マルチメディアプレーヤー及び専用ユーザアプリケーションのような複数の独立したローカルアプリケーションを実行してもよい。
【００９８】
さらに、シンクライアントコンピューティング装置は、リモート管理行為者を含んてもよい。これらの行為者は、機構が装置及びユーザの設定をリモートで管理するための機構を有効にする。それは、集中化されたソフトウェア配備並びにユーザ認証及びセキュリティ監視を有効にしてもよい。
【００９９】
さらに、複数の負荷シミュレーションのローカル及びリモートのプログラムは、異なる負荷プロフィールを持ったユーザの現実的なシミュレーションを可能にするために、各シンクライアントブレードモジュールで実行されることができる。
【０１００】
選択可能に、さらにシステム２００は、各シンクライアントブレードモジュール４０に設置され、及びそのモジュールの型モデル及び独特の特徴を識別するバスを介して管理モジュールにアクセス可能にするメモリ装置２３３を含む。
【０１０１】
図９において、本発明の望ましい実施形態による管理モジュール３００のブロック図が示され、これより言及される。
【０１０２】
管理モジュール３００の構造は、前の図８に記載されたシンクライアントブレードモジュールに類似してもよく、或いは、それは、縮小された機能を備える単純化されたマイクロコントローラ設計でもよい。モジュールは、下記構成要素の各々の１つもしくはそれ以上から構成される：
【０１０３】
プロセッサ２０１は、ユーザによって必要に応じて入力された格納プログラム及びデータ、周辺装置、並びにネットワークを処理する。プロセッサ２０１は、望ましくは、それらのより低い電力消費及び低発熱のために利用可能な縮小命令型コンピュータ（ＲＩＳＣ）から選ばれる。代わりに、複雑命令セットコンピュータ（ＣＩＳＣ）、セキュリティ及び暗号化エンジン、デジタル信号プロセッサ（ＤＳＰ）もしくは十分な処理能力を備えるデジタル処理装置の任意の他の型もしくは組合せは、使用されてもよい。プロセッサ２０１は、オンダイ高速キャッシュメモリもしくは２つの外部キャッシュ又は２つの組み合わせを含んでもよい。さらに、プロセッサ２０１は、統合した揮発性及び不揮発性のメモリを備える簡易な低コストのマイクロコントローラでもよい。
【０１０４】
メモリコントローラ／ブリッジ２１５は、揮発性メモリ２１６及びバス２１８を備えるプロセッサ２０１にインターフェース接続する。この機能及びその他は、プロセッサ２０１に統合されるか、又は異なるチップもしくはチップセットに別々に設置されてもよい。揮発性メモリ２１６は、プロセッサ２０１によって必要に応じて一時データの保存に使用される。メモリ２１６は、ＲＡＭ型、ＳＤＲＡＭ、ＤＤＲＡＭ、もしくは他の型の揮発性メモリでもよい。
【０１０５】
内部バス２１８は、シンクライアントブレードモジュールの様々な部品を接続し、単一もしくは複合バス、１６、３２もしくは６４ビットのＰＣＩ又は他のバス型でもよい。複合バスが実装される場合、バスブリッジモジュールは、異なるバスをインターフェース接続及び動かすために追加されてもよい。
【０１０６】
バス２１８に接続された不揮発性のメモリ２１７は、永久にデータ、プログラム及び管理モジュール操作に要求される設定を記憶する。管理プログラム及び必要な様々の状態のマシンは、接続されたリムーバブルメディアもしくは集中的管理システムからこのメモリにロードされる。
【０１０７】
Ｉ／Ｏコントローラー２２０は、一方の側でバス２１８に、並びにモジュール前面パネルの様々な制御及びユーザインターフェース機能に接続している。これは、限定はされないが、ここで上記の図３に示されるパネルディスプレイ２４、並びにスイッチ２３、２５及び２６を動かすことが含まれる。パネルディスプレイ２４は、もし必要ならば、７つのセグメント、英数字、ドットマトリクスもしくは完全にグラフィカルなディスプレイでもよい。スイッチは、ユーザとの対話を可能にするために、様々なファンクションキー及びスイッチを含んでもよい。
【０１０８】
選択可能なオンスクリーンディスプレイ（ＯＳＤ）／ビデオコントローラモジュール３２１は、一方の側からバス２１８に及び他方の側で管理モジュールを介して渡されたビデオ信号に接続される。それは、管理モジュールが可視のビデオ画像の上に英数字のテキスト及びシンボルを付加を可能にするために使用される。提供されたテキストは、識別、並びにシンクライアントブレードモジュールに選択された状態、もしくは任意の他のシステムの状態及び構成情報を含んでもよい。このモジュールによって生成されたビデオ信号は、選択可能なオンスクリーンディスプレイ（ＯＳＤ）と自動的に同期され／ビデオコントローラモジュール３２１は、内部ビデオメモリ、外部ビデオメモリを含んでもよく、或いは、それは、ユニファイドメモリアーキテクチャ（ＵＭＡ）構造中のプロセッサ２０１を備える揮発性メモリ２１６を共有してもよい。バス２１８に接続されたローカルエリアネットワークコントローラもしくはメディアアクセスコントローラ（ＭＡＣ）２２２は、ＬＡＮトランシーバ（物理層モジュール）２２４を介してネットワークスイッチもしくはハブ１２０を備える管理モジュールをインターフェース接続するために使用される。
【０１０９】
モジュール前面パネル３２７に設置されたビデオコネクタ３０は、ＯＳＤ／ビデオプロセッサ３２１によって、リンク３３６及びミッドプレーンコネクタ８０ｂによって接続されたＫＶＭ出力と管理モジュールにおいて生成された選択可能なＯＳＤ／ビデオを結合する。前面パネル３２７に設置されたＵＳＢコネクタ３２は、リンク３３８及びミッドプレーンコネクタ８０ｂを介してＫＶＭモジュールに接続される。このポートは、ユーザがシステムを管理するためのＫＶＭポートのキーボード及びマウスに接続することを可能にする。
【０１１０】
選択可能なローカルエリアネットワークトランシーバ２２４（物理層モジュール）は、ＬＡＮコントローラ（ＭＡＣ）２２２とシンクライアントブレードモジュール４０の前面パネルに設置されるＬＡＮジャックの間をインターフェース接続する。それは、内部ネットワークスイッチの実装を可能にするために、リンク２２４を介してミッドプレーンコネクタ８０ｂに選択可能にも接続される。トランシーバ２２４は、内部スイッチ物理層回路への個別のマグネチックスもしくはマグネチックスの無い直接の接続の実装を含んでもよい。
【０１１１】
ＬＡＮトランシーバ２２４は、メディアインディペンデントインタフェース（ミル）バスによってもしくは他の相互接続バスによってローカルエリアネットワークコントローラ２２２に接続されてもよい。ローカルエリアネットワーク２２４トランシーバは、１００ＢＡＳＥ−ＴＸ、１００ＢＡＳＥＦＸ、１０ＢＡＳＥ−Ｔ及びギガＬＡＮもしくは求められる他のＬＡＮプロトコルをサポートしてもよい。
【０１１２】
電源２２６は、その電力を異なる管理モジュール回路によって必要とされる適切な電圧出力２２７に変換するために、ミッドプレーンコネクタ８０ｂ及びリンク２２５を介してミッドプレーンバスで利用可能な電力を使用する。電源モジュール２２６は、連続する他の回路に電源が設けられるために、タイミング回路を含んでもよい。それは、適切な初動及び停電の検出を可能にするために、リセット信号の生成を含んでもよい。
【０１１３】
ミッドプレーンコネクタ８０ｂは、選択可能な同一の不揮発性のメモリモジュール２２３に接続されてもよい。このメモリモジュールは、特定の管理モジュールモデル、シリアル番号、ＭＡＣアドレス並びに様々なモジュール設定及び構成を記憶するために使用されてもよい。
【０１１４】
管理モジュールは、各シンクライアントブレードモジュールパネル（図２ａにおいて示される）に設置された押しボタン１８によってオーバーライドモードで直接操作することができる。これは、ユーザが必要な場合に特定のモジュールを迅速に監視及び制御することを可能にする。
【０１１５】
選択可能に、管理モジュール４２は、各管理モジュール４２に設置されたメモリ装置２３３、並びに明確にそのモジュールの型モデル及び独特の特徴を識別するサーバにアクセス可能にすることをさらに含む。
【０１１６】
図１０において、ＫＶＭモジュール４４のさらなる詳細を表して、これより言及される。明瞭さのため、信号及びポートの最小の数だけが示される。さらに、様々な機械のスイッチは、デジタル論理、アナログスイッチ、リレーなどを含めて使用することができるが、機械のスイッチが図において使用される。
【０１１７】
信号４００は、ミッドプレーン内部バス６０を介して配線されたシンクライアントブレードモジュール＃１ビデオ出力信号である。その信号に類似する４０１は、ビデオ信号シンクライアントブレードモジュール＃２などである。スイッチ４０８は、管理モジュールもしくはＩＰモジュールを通じたＫＶＭによって発生した及びミッドプレーン内部バス６０及びリンク３９６を通過した選択コマンドに基づいたちょうど単一のビデオソースの選択を可能にするセレクタスイッチとして供する。単一のビデオ出力信号４０９は、単一の接続ユーザーディスプレイに接続されて設けられる。
【０１１８】
同様に、スイッチ４１８は、異なるシンクライアントブレードモジュールの異なるＵＳＢポート４１０、４１１及び４１２の間を選択する。スイッチによって選択されたポートは、単一の出力４１９で設けられる。追加のスイッチは、多くのソース並びにオーディオ及びシリアルポートのような信号の追加の型からの同時のスイッチングを作動するためにここに追加されてもよい。ＩＰを通じたＫＶＭが実装された場合、ＫＶＭ制御３９６及びＫＶＭ出力４０９、４１９、４２９は、ＩＰモジュールを通じたＫＶＭに接続される。
【０１１９】
選択可能なホットキーモジュール２４０は、示された異なるシンクライアントブレードモジュール間でトグルするために、特定のキーボードキーの組み合わせを検出することができる。これは、ＫＶＭ４１９のＵＳＢポートを接続し、プリプログラムされたホットキーの検出をし、及びＫＶＭ制御信号３９６に適切なスイッチングコマンドを発生することによって行われる。
【０１２０】
ＫＶＭの中の別のオプションモジュールは、ビデオ重ね合せプロセッサ２４６である。このモジュールは、複合シンクライアントモジュールによって生成されたビデオ画像がユーザに表示した単一のディスプレイと組み合わせることができる。異なるビデオソース４００、４０１、４０２などに接続することによって、モジュールは、全ての利用可能なソースからのビデオ信号を取り込む。その後、モジュールは、選択されたビデオ入力を測り直し、及び単一のビデオ出力４５５として利用可能な大きなコラージュ型画像に取り付けるためにそれらを同期させる。
【０１２１】
シンクライアントブレード４０もしくは４１は、互いに異なったハードウェア構造もしくは構成をしていてもよい。例えば、それらは、記憶容量、演算速度、プロセッサ型、選択可能なコネクタなどにおいて異なってもよい。
【０１２２】
モジュラーシステムは、部分的に占められたシャシで作動してもよい。ブレードは、欠けているかもしれないし、もしくはブランクのカバーと取り替えられてもよい。ブレードは、独立してつけられても、もしくは外されてもよい。本発明のいくつかの実施形態では、他のブレードが作動している間（ホットスワッピング）、ブレードは、取り除かれてももしくは挿入されてもよい。
【０１２３】
一般に、シンクライアントブレード４０もしくは４１の各々は、他のブレードから本質的に独立した異なるソフトウェアを実行してもよい。
【０１２４】
機構のシミュレーションを作成するために、特別なプログラムは、その機構において少なくとも１人の「典型的なユーザ」のＰＣもしくはシンクライアントにインストールされる。そのプログラムは、詳細にユーザがコンピュータで行った全てを監視する。ユーザのコンピュータの使用についての情報は、タイムスタンプと共に格納される。
【０１２５】
データが一定期間以上集められた後、同様のリソース負荷（つまり、ユーザが特定のテキストを備える電子メールをタイプし及び特定のアドレスへそれを送った場合、このアクションは、そのテキスト及びＥメールアドレスを任意のテキスト及びテキストアドレスに取り替えることによって複製されてもよい）を用いて任意の処理を生成するためにそのデータを解析することができる。
【０１２６】
時間及び数人のユーザを組合せは、機構の従業員のグループを統計的に特徴づける週労働時間「スクリプト」を作成するだろう。例えば、銀行の出納係の代表的な作業である。いくつかの型の使用は、それゆえに機構の作業負荷及び作業バランスの正確な表示を作成して監視され及びシミュレートされてもよい。
【０１２７】
試験については、各々のブレードは、その事業活動時間を通じた統計的に全体の機構の活動プロフィルを表わす全体に渡った画像を作成するために、これらのスクリプトの１つもしくはそれ以上を「プレイする」ことによって、ユーザをシミュレートしている。
【０１２８】
内部に、各ブレードは、シンクライアントステーションを使用して、忠実にユーザを表わされるであろうことに注目されるべきである。しかし、全体的に、サーバ、通信リンク、及び機構の能力を試験するために、ユーザが作業セッションを実行することを表わす各ブレード及びそのようなブレードは、シンクライアントステーション、ＰＣ、又はサーバ、オートマティックマシン、もしくはいくつかのコンピュータ又はコンピュータシステムから構成されるシステムのような人間以外などが操作する機能をシミュレートしてもよい。
【０１２９】
本発明は、ある例示の実施形態に関して記述されているが、様々な改良は、容易に明白になり、並びに上記の教示の本質及び範囲から外れずに、容易に当業者によって遂行されてもよい。
【０１３０】
１つの実施形態に関して記述された特徴及び／又はステップは、他の実施形態とともに用いられてもよく、及び本発明の全ての実施形態は、特定の図において示されるもしくは実施形態のうちの１つに関して記述された特徴及び／又はステップの全てを具備する訳ではないことが理解されるべきである。記述された様々な実施形態は、当業者にとって思い浮かぶだろう。
【０１３１】
上述された実施形態のうちのいくつかは、発明者によって熟考された最良の様式が記されているかもしれず、それゆえに本発明及び例で示されたものにとって必要でない構造、行為、もしくは構造及び行為の詳細も含まれるかもしれないことが注意される。ここに記述された構造及び行為は、たとえ構造又は行為が異なるとしても、技術的に知られているように、同じ機能を成し遂げる同等物によって代替可能である。用語「含む（ｃｏｍｐｒｉｓｅ）」「含む（ｉｎｃｌｕｄｅ）」及びここで用いられているそれらの同根語は、「含むが必ずしも限定されない」という意味である。
【図面の簡単な説明】
【０１３２】
本発明の例示の実施形態は、図面に関して以下のセクションに記載されている。同じ参考番号は、異なる図面上の同じもしくは関連形体を示すために用いられる。図面は、全般的に縮尺を描いていない。
【０１３３】
本発明についてより一層理解するために、言及が添付図面において示される本発明の望ましい実施形態にされてもよい。：
【０１３４】
【図１】図１は、本発明の望ましい実施形態による組み立てられた複合シンクライアントブレードモジュール及び単一の管理モジュールを備える、モジュラーシンクライアントブレードシステムの正面像を示す。
【図２．ａ】図２ａは、本発明の望ましい実施形態によるシンクライアントブレードモジュールの正面像を示す。
【図２．ｂ】図２ｂは、本発明の別の実施形態によるデジタルビデオ端子（ＤＶＩ）及びユニバーサルシリアルバス（ＵＳＢ）ポートを備えるシンクライアントブレードモジュールの前面パネルを示す。
【図３】図３は、本発明の望ましい実施形態による管理モジュールの正面像を示す。
【図４】図４は、本発明の望ましい実施形態によるシンクライアントブレードシステムのブロック図を示す。
【図５】図５は、本発明の望ましい実施形態によるミッドプレーン内部バスへのシンクライアントブレードモジュールインターフェースの概略図を示す。
【図６】図６は、本発明の望ましい実施形態によるネットワークスイッチ及びサーバのシンクライアントブレードシステムへの相互接続を提示する。
【図７】図７は、シンクライアントブレードシステムの望ましい実施形態を示す。
【図８】図８は、本発明の望ましい実施形態による単一のシンクライアントブレードモジュールのブロック図を表す。
【図９】図９は、本発明の望ましい実施形態による管理モジュールのブロック図を表す。
【図１０】図１０は、本発明の実施形態によるＫＶＭモジュール及びその外部接続のさらなる詳細の記述を表す。
【図１】
2008533583.tif 000003
【図２】
2008533583.tif 000004
【図２】
2008533583.tif 000005
【図３】
2008533583.tif 000006
【図４】
2008533583.tif 000007
【図５】
2008533583.tif 000008
【図６】
2008533583.tif 000009
【図７】
2008533583.tif 000010
【図８】
2008533583.tif 000011
【図９】
2008533583.tif 000012
【図１０】
2008533583.tif 000013
【国際調査報告】
2008533583.tif 000014
2008533583.tif 000015